(57)【特許請求の範囲】
【請求項１】
内樋の配置箇所を境に軒先構造部と屋根構造部とが分断されており、上記軒先構造部に設けられた横桟によって、軒先側野地板を支持する垂木相当部材が支持されるか、または上記軒先側野地板が直接に支持されており、上記屋根構造部の梁に固定された支持部材によって、上記横桟が支持されており、
上記軒先構造部に上記横桟として上記軒先側野地板または上記垂木相当部材を支持する第１横桟を備える一方、上記屋根構造部に当該屋根構造部を構成する垂木の小口に取り付けられた第３横桟を備えており、
上記第１横桟と、上記第３横桟と、これら第１横桟および第３横桟の下部に設けられた底板とによって、上記内樋を収容する凹構造部が構成されていることを特徴とする内樋支持構造。
【請求項２】
請求項１に記載の内樋支持構造において、上記軒先構造部に設けられた上記横桟として、上記第１横桟よりも軒先側で上記軒先側野地板または上記垂木相当部材を支持する第２横桟を備えることを特徴とする内樋支持構造。
【請求項３】
請求項１または請求項２に記載の内樋支持構造において、上記支持部材は、本体部と、この本体部と別体に設けられた、上記第１横桟を支持する別体金具とからなることを特徴とする内樋支持構造。
【請求項４】
請求項１〜請求項３のいずれか１項に記載の内樋支持構造において、上記支持部材は、上記梁の鉛直面に対面する取付板部を有しており、この取付板部にはボルトの挿通孔が形成されており、上記梁には上記ボルトが螺合されるボルト用穴が形成されていることを特徴とする内樋支持構造。
【発明の詳細な説明】
【技術分野】
【０００１】
この発明は、軒の内側に設けられる内樋の支持構造に関する。
【背景技術】
【０００２】
特許文献１には、屋根パネルの軒先端縁近くの野地板が、軒先端縁に沿って切欠かれ、この切欠き部分に内樋が取付けられた構造が開示されている。上記内樋は、野地板に合わせて傾斜されたフランジ部分を野地板に固定することで取付けられている。また、内樋の端部は、屋根パネルの側端縁近くで端板により仕切られ、各屋根パネル毎に独立して形成されている。上記屋根パネルは、チャンネル材で枠組みされたフレームの上面に野地板を貼り、この野地板の上に防水シートおよび水切りを介して屋根仕上材を貼ることで構成される。
【０００３】
また、特許文献２には、樋本体が、少なくとも上方が開口する略溝状の樋部と水下側の開口端部から水下側に延出する水下側延出部とからなり、この水下側延出部によって水下側屋根部の水上側上端を覆ってなる内樋を有する屋根構造が開示されている。
【先行技術文献】
【特許文献】
【０００４】
【特許文献１】特許第２６８８３０５号
【特許文献２】特開２０００−２５７２２１号公報
【発明の概要】
【発明が解決しようとする課題】
【０００５】
しかしながら、上記特許文献１に記載の内樋支持構造では、内樋の端部が屋根パネルの側端縁近くで端板により仕切られるため、樋構造が複雑になる。さらに、上記屋根パネルに内樋が設けられた構造になっており、既存の屋根構造を利用し難いといった欠点がある。また、特許文献２に記載の屋根構造で示されている支持フレームは、内樋を支持し、水下側の鉄骨を支持するようにはなっていないと考えられる。
【０００６】
この発明は、上記の事情に鑑み、構造が簡単で既存の屋根構造を利用し易い内樋支持構造を提供することを課題とする。
【課題を解決するための手段】
【０００７】
この発明の内樋支持構造は、上記の課題を解決するために、内樋の配置箇所を境に軒先構造部と屋根構造部とが分断されており、上記軒先構造部に設けられた横桟によって、軒先側野地板を支持する垂木相当部材が支持されるか、または上記軒先側野地板が直接に支持されており、上記屋根構造部の梁に固定された支持部材によって、上記横桟が支持されていることを特徴とする。
【０００８】
上記の構成であれば、内樋の配置箇所を境に軒先構造部と屋根構造部とが分断されているので、上記屋根構造部については、既存の屋根構造を利用することが容易である。また、上記横桟によって、軒先側野地板または軒先側野地板を支持する垂木相当部材が支持されるので、上記支持部材の横方向の取付位置の制約が小さくなり、上記支持部材が上記屋根構造部の部材と干渉するのを回避するのが容易になる。また、上記軒先構造部は、上記梁に固定される支持部材によって支持されるので、上記軒先構造部の軒先長さを長くしても上記支持部材によってしっかりと支持でき、上記内樋から横引きされる横引き樋を軒天井内に収めることが容易になる。
【０００９】
上記横桟は、上記軒先側野地板または上記垂木相当部材を支持するとともに上記内樋を収容する凹構造部の一部を構成する第１横桟と、上記第１横桟よりも軒先側で上記軒先側野地板または上記垂木相当部材を支持する第２横桟とからなっていてもよい。これによれば、上記軒先側野地板または上記垂木相当部材を安定して支持することができる。
【００１０】
上記屋根構造部を構成する垂木の小口に第３横桟が取り付けられており、上記第１横桟と、上記第３横桟と、これら第１横桟および第３横桟の下部に設けられた底板とによって、上記凹構造部が構成されていてもよい。これによれば、上記垂木を利用して凹構造部をしっかりと作製することができる。
【００１１】
上記支持部材は、本体部と、この本体部と別体に設けられた、上記第１横桟を支持する別体金具とからなっていてもよい。これによれば、上記支持部材と上記第１横桟との位置誤差を、上記別体金具で吸収することが容易になる。
【００１２】
上記支持部材は、上記梁の鉛直面に対面する取付板部を有しており、この取付板部にはボルトの挿通孔が形成されており、上記梁には上記ボルトが螺合されるボルト用穴が形成されていてもよい。これによれば、上記支持部材を上記梁のボルト用穴が形成されている位置に上記ボルトで仮留めすることが可能になり、安全且つ容易に上記支持部材を梁に取り付けることができる。なお、本留めには、上記ボルトの他にビス等を用いることができる。
【発明の効果】
【００１３】
本発明であれば、内樋を設けるための構造が簡単であり既存の屋根構造を利用し易いという利点がある。また、支持部材の横方向の取付位置の自由度が高くなり、上記支持部材が上記屋根構造部の垂木と干渉するのを回避するのが容易になるという効果も奏する。
【図面の簡単な説明】
【００１４】
【図１】本発明の実施形態に係る内樋支持構造を示した図であって、同図（Ａ）は概略の側面視説明図であり、同図（Ｂ）は野地板等を省略して示した概略の平面視説明図である。
【図２】本発明の実施形態に係る他の実施形態の内樋支持構造の概略の側面視説明図である。
【図３】図２の内樋支持構造における支持部材の配置と内樋の関係を示した説明図である。
【発明を実施するための形態】
【００１５】
以下、この発明の実施の形態を添付図面に基づいて説明する。
図１（Ａ）および図１（Ｂ）に示すように、この実施形態に係る内樋支持構造では、内樋１の配置箇所を境に屋根２が屋根構造部２１と軒先構造部２２に分断（縁切り）されている。上記屋根構造部２１には、一定間隔で垂木２１ａが設けられており、これら垂木２１ａ上に野地板４１がビス等により固定されている。そして、上記軒先構造部２２には、一定間隔で垂木相当部材２２ａが設けられており、これら垂木相当部材２２ａ上に軒先側野地板４２がビス等により固定されている。また、上記軒先構造部２２においては、上記垂木相当部材２２ａの先端側には、軒先水切り４３が設けられている。この軒先水切り４３の一部は軒下側に回り込んでおり、軒天板４４の軒先側を支持している。
【００１６】
上記垂木相当部材２２ａは、上記軒先構造部２２に設けられた第１横桟３１および第２横桟３２によって支持されている。上記第１横桟３１は、上記内樋１を収容する凹構造部２０の一部を形成するとともに上記垂木相当部材２２ａを支持する。また、上記第２横桟３２は、上記第１横桟３１よりも軒先側において上記垂木相当部材２２ａを支持する。また、上記屋根構造部２１を構成する上記垂木２１ａの小口に第３横桟３３が取り付けられており、上記第１横桟３１と、上記第３横桟３３と、これら第１横桟３１および第３横桟３３の下部に渡って設けられた底板４５とによって、上記凹構造部２０が構成されている。
【００１７】
上記第１横桟３１および上記第２横桟３２は、支持部材５（二点鎖線で示している）によって支持されている。上記支持部材５は、例えば、鋼等の金属、樹脂、木質材料等からなる。また、例えば、上記第１横桟３１は、上記支持部材５に溶接等により設けられた第１鉛直部５ａにビス等によって固定されており、上記第２横桟３２は、上記支持部材５に溶接等により設けられた第２鉛直部５ｂにビス等によって固定されている。
【００１８】
上記支持部材５は、上記屋根構造部２１における軒桁（梁）２１１にビス等によって固定されている。例えば、上記支持部材５は、上記軒桁２１１の屋外側の鉛直面に対向する取付板部５ｃを有しており、この取付板部５ｃを貫通するビス等が上記軒桁２１１の鉛直面にねじ込まれている。上記取付板部５ｃの高さは上記軒桁２１１の高さと略同等の高さとされている。また、上記取付板部５ｃにはボルト５５の挿通孔が形成されており、上記軒桁２１１には上記ボルト５５が螺合されるボルト用穴が形成されている。また、上記支持部材５は、上記取付板部５ｃから軒先側に略水平に張り出した本体部５０を有している。この本体部５０は、形鋼と同様にウェブに相当する部分とフランジに相当する部分を有する。上記第１鉛直部５ａは上記本体部５０の上部のフランジ相当部分の上面に固定されており、上記第２鉛直部５ｂは上記本体部５０の上記フランジ相当部分およびウェブ相当部分の軒先側の端面に固定されている。
【００１９】
上記内樋１の上部には、上記屋根構造部２１の上記野地板４１側に位置する上側曲げ部１１と、上記軒先構造部２２の上記軒先側野地板４２側に位置する下側曲げ部１２とが形成されている。また、例えば、上記内樋１の下面の箇所には、図示しないストレーナーが設けられており、このストレーナーには上記軒天板４４の裏側に設けられた横引き樋６１が接続される。そして、この横引き樋６１には、上記軒天板４４を貫通して設けられた縦樋６２が接続される。
【００２０】
また、上記屋根構造部２１および軒先構造部２２上には、例えば、アスファルトルーフィングが敷かれ、この上に屋根材（瓦、スレート等）が設けられる。また、上記軒桁２１１は柱２１２に留め金具２１２ａを介して接続される。
【００２１】
上記の構成であれば、内樋１の配置箇所を境に上記屋根構造部２１と軒先構造部２２とが分断（縁切り）されているので、上記屋根構造部２１については、既存の屋根構造を利用することが容易である。また、上記横桟３１、３２によって、上記垂木相当部材２２ａが支持されるので、上記支持部材５の横方向の取付位置の制約が小さくなり、上記支持部材５が上記屋根構造部２１の柱２１２（留め金具２１２ａ等）と干渉するのを回避するのが容易になる。また、上記軒先構造部２２は、上記軒桁２１１に固定される支持部材５によって支持されるので、上記軒先構造部２２の軒先長さを長くしても上記支持部材５によってしっかりと支持でき、上記内樋１から横引きされる横引き樋６１を軒天井内に収めることが容易になる。
【００２２】
上記第１横桟３１および上記第２横桟３２を有する横桟が用いられると、１本の横桟で上記垂木相当部材２２ａを支持する構造に比べ、この垂木相当部材２２ａを安定して支持することができる。
【００２３】
上記垂木２１ａの小口に設けられた第３横桟３３と、上記支持部材５に支持された上記第１横桟３１と、これらに渡って設けられた上記底板４５とによって上記凹構造部２０が構成されると、上記垂木２１ａを利用して当該凹構造部２０をしっかりとしたものにすることができる。
【００２４】
上記支持部材５に上記ボルト５５の挿通孔が形成されており、上記軒桁２１１に上記ボルト５５が螺合されるボルト用穴が形成されていると、上記支持部材５を上記軒桁２１１のボルト用穴が形成されている位置に上記ボルト５５で仮留めすることが可能になり、安全且つ容易に上記支持部材５を上記軒桁２１１に取り付けることができる。
【００２５】
図２に他の実施形態の内樋支持構造を示す。この内樋支持構造の軒先構造部２２には、上記垂木相当部材２２ａは設けられておらず、上記軒先側野地板４２が上記第１横桟３１および上記第２横桟３２に直接に支持固定されている。このような構成であると、上記軒先側野地板４２を削減できるので、低コスト化が図れる。なお、この実施形態で用いられている支持部材５（二点鎖線で示している）には水平板部５ｄが設けられており、この水平板部５ｄの軒先側の上角が上記軒先側野地板４２の裏面に接するため、上記軒先側野地板４２は上記水平板部５ｄによっても支持される。
【００２６】
また、上記支持部材５においては、第１鉛直部５ａが本体５０部に対して別体に設けられている。また、この別体金具である第１鉛直部５ａは、例えば、２つの互いに直交して隣接する鉛直板部と、これら鉛直板部に直交する底板部とからなる。上記底板部には図示しない取り付け用のボルトが挿通される貫通孔が形成されている。この貫通孔をいわゆるバカ穴にしておくと、上記第１横桟３１の位置ずれを吸収するように上記第１鉛直部５ａをずらして固定することができる。
【００２７】
なお、図３に上記支持部材５の配置例を示している。また、図３において、内樋１はハッチングを入れている。また、交差状に隣り合う２つの支持部材５において、一方の支持部材５を短く形成し、第２鉛直部５ｂおよび第２横桟３２の配置をしないようにすることもできる。
【００２８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２９】
１      内樋
２      屋根
２０    凹構造部
２１    屋根構造部
２１ａ  垂木
２２    軒先構造部
２２ａ  垂木相当部材
３１    第１横桟（横桟）
３２    第２横桟（横桟）
３３    第３横桟（横桟）
４１    野地板
４２    軒先側野地板
５      支持部材
５０    本体部
５ａ    第１鉛直部
５ｂ    第２鉛直部
５ｃ    取付板部
【図１】
0006603041.tif 000002
【図２】
0006603041.tif 000003
【図３】
0006603041.tif 000004